【手続補正書】
【提出日】平成19年7月5日(2007.7.5)
【手続補正１】
【補正対象書類名】特許請求の範囲
【補正対象項目名】全文
【補正方法】変更
【補正の内容】
【特許請求の範囲】
【請求項１】
酸化金属ナノ粒子を熱水処理し、次いで二酸化ケイ素被覆を適用することによって得られることを特徴とする、二酸化ケイ素被覆を有するＵＶ保護ナノ粒子。
【請求項２】
酸化金属が本質的に、鉄でドープされていてもよい二酸化チタンであることを特徴とする請求項１に記載のＵＶ保護ナノ粒子。
【請求項３】
シェラー法で判定したＵＶ保護ナノ粒子中の酸化金属ナノ粒子の結晶子径が、５ｎｍから１００ｎｍの範囲、好ましくは８から５０ｎｍの範囲、特に好ましくは２５ｎｍ未満であり、透過電子顕微鏡で判定した酸化金属ナノ粒子の寸法が、長さ５から１５０ｎｍ、幅５から６０ｎｍ、好ましくは長さ２０から６０ｎｍの範囲、幅８から３０ｎｍの範囲であることを特徴とする請求項１または２に記載のＵＶ保護ナノ粒子。
【請求項４】
二酸化ケイ素被覆が、ＵＶ保護ナノ粒子に対して５から５０重量％、好ましくは８から３０重量％、特に好ましくは１２から２０重量％であることを特徴とする請求項１〜３のいずれか一項に記載のＵＶ保護ナノ粒子。
【請求項５】
シェラー法で判定したＵＶ保護ナノ粒子の粒径が、５ｎｍから１００ｎｍの範囲、好ましくは８から５０ｎｍの範囲、特に好ましくは２５ｎｍ未満であり、透過電子顕微鏡で判定したＵＶ保護ナノ粒子の寸法が、長さ５から１６０ｎｍ、幅１０から７０ｎｍ、好ましくは長さ３０から７０ｎｍの範囲、幅１８から４０ｎｍの範囲であることを特徴とする請求項１〜４のいずれか一項に記載のＵＶ保護ナノ粒子。
【請求項６】
ａ）酸化金属ナノ粒子を熱水処理し、
ｂ）次いで二酸化ケイ素被覆を適用する
ことを特徴とするＵＶ保護ナノ粒子の調製方法。
【請求項７】
二酸化チタンナノ粒子をステップａ）の熱水処理することを特徴とする請求項６に記載の方法。
【請求項８】
密封容器中、４０から３６０℃の範囲、好ましくは８０から２２０℃の範囲、特に好ましくは１４０から２００℃の範囲の温度でステップａ）を実施することを特徴とする請求項６または７に記載の方法。
【請求項９】
水ガラス溶液を酸化金属の懸濁液に好ましくは加えるゾルゲル法としてステップｂ）を実施することを特徴とする請求項６〜８のいずれか一項に記載の方法。
【請求項１０】
ｐＨ２からｐＨ１１の範囲、好ましくはｐＨ＝５からｐＨ＝８の範囲、特に好ましくはｐＨ＝６からｐＨ＝７の範囲で一定に維持したｐＨでステップｂ）を実施することを特徴とする請求項６〜９のいずれか一項に記載の方法。
【請求項１１】
酸化金属の懸濁液をｐＨ＝７からｐＨ＝１１の値に、次いでｐＨをｐＨ＝５からｐＨ＝８に、好ましくはｐＨ＝６からｐＨ＝７の値に下げる事前のｐＨ調整後に、ｐＨを調整することなくステップｂ）を実施することを特徴とする請求項６〜１０のいずれか一項に記載の方法。
【請求項１２】
高温、好ましくは５０℃から１００℃の範囲の温度でステップｂ）を実施することを特徴とする請求項６〜９のいずれか一項に記載の方法。
【請求項１３】
請求項１〜５のいずれか一項に記載の少なくとも１種のＵＶ保護ナノ粒子または請求項６〜１２のいずれか一項に対応する方法で調製した酸化金属ナノ粒子を含む遮光性を有する組成物。
【請求項１４】
局所的に施用できる組成物、好ましくは化粧品配合物または皮膚科学的配合物であることを特徴とする請求項１３に記載の遮光性を有する組成物。
【請求項１５】
食品、植物または工業製品を保護するための、繊維、織布、それらの被覆、塗料、被覆システム、フィルム、およびパッケージからなる群より選択された組成物であることを特徴とする請求項１３に記載の遮光性を有する組成物。
【請求項１６】
少なくとも１種の有機ＵＶフィルター、好ましくはジベンゾイルメタン誘導体、特にメトキシ−ｔｅｒｔ−ブチルジベンゾイルメタンおよび／または２−ヒドロキシ−４−メトキシベンゾフェノンなどのベンゾフェノン誘導体を含むことを特徴とする請求項１３〜１５のいずれか一項に記載の遮光性を有する組成物。
【請求項１７】
少なくとも1種のセルフタンニング剤、好ましくはジヒドロキシアセトンまたはジヒドロキシアセトン誘導体を含むことを特徴とする請求項１３〜１６のいずれか一項に記載の遮光性を有する組成物。
【請求項１８】
好ましくは式III
【化１】
2006528706.tif 000001
［式中、
Ｒ1は、−Ｃ（Ｏ）ＣＨ3、−ＣＯ2Ｒ3、−Ｃ（Ｏ）ＮＨ2および−Ｃ（Ｏ）Ｎ（Ｒ4）2から選択され、
Ｘは、ＯまたはＮＨであり、
Ｒ2は、直鎖状または分枝状のＣ1〜30アルキル基を表し、
Ｒ3は、直鎖状または分枝状のＣ1〜20アルキル基を表し、
Ｒ4は全て互いに独立して、Ｈまたは直鎖状もしくは分枝状のＣ1〜8アルキル基を表し、
Ｒ5は、Ｈ、直鎖状もしくは分枝状のＣ1〜8アルキル基または直鎖状もしくは分枝状の−Ｏ−Ｃ1〜8アルキル基を表し、
Ｒ6は、Ｃ1〜8アルキル基を表す］
と一致する少なくとも１種の光安定剤を含み、この光安定剤は特に好ましくは２−（４−ヒドロキシ−３，５−ジメトキシベンジリデン）マロン酸ビス（２−エチルへキシル）であることを特徴とする請求項１３〜１７のいずれか一項に記載の遮光性を有する組成物。
【請求項１９】
３−（４’−メチルベンジリデン）−ｄｌ−カンファー、メトキシケイ皮酸オクチル、サリチル酸３，３，５−トリメチルシクロヘキシル、４−（ジメチルアミノ）安息香酸２−エチルヘキシル、２−アミノ−３，３−ジフェニルアクリル酸２−エチルヘキシル、２−フェニルベンズイミダゾール−５−スルホン酸、ならびにそのカリウム塩、ナトリウム塩およびトリエタノールアミン塩からなる群より好ましくは選択される１種以上の他のＵＶフィルターを含むことを特徴とする請求項１３〜１８のいずれか一項に記載の遮光性を有する組成物。
【請求項２０】
１種以上の酸化防止剤を好ましくは含むことを特徴とする、酸化ストレスから体細胞を保護するのに適する、特に皮膚の老化を減少させるのに適する請求項１３〜１９のいずれか一項に記載の遮光性を有する組成物。
【請求項２１】
乳化剤を含まないエマルジョン、好ましくはビッカリングエマルジョンであることを特徴とする前記請求項の少なくとも一項に記載の遮光性を有する組成物。
【請求項２２】
請求項１〜５のいずれか一項に記載のＵＶ保護ナノ粒子または請求項６〜１２のいずれか一項に従って調製したＵＶ保護ナノ粒子を化粧品としてまたは皮膚科学的に適切な担体および場合により他の成分と混合することを特徴とする組成物の調整方法。
【請求項２３】
請求項１〜５のいずれか一項に記載のＵＶ保護ナノ粒子または請求項６〜１２のいずれか一項に従って調製したＵＶ保護ナノ粒子の、遮光性を有する組成物を調製するための使用。
【請求項２４】
請求項１〜５のいずれか一項に記載のＵＶ保護ナノ粒子または請求項６〜１２のいずれか一項に従って調製したＵＶ保護ナノ粒子の、ＵＶフィルターとしての使用。
【請求項２５】
請求項１〜５のいずれか一項に記載のＵＶ保護ナノ粒子または請求項６〜１２のいずれか一項に従って調製したＵＶ保護ナノ粒子の、ＵＶフィルター、特にジベンゾイルメタンおよびジベンゾイルメタン誘導体またはベンゾフェノンおよびベンゾフェノン誘導体を安定化するための使用。
【請求項２６】
請求項１〜５のいずれか一項に記載のＵＶ保護ナノ粒子または請求項６〜１２のいずれか一項に従って調製したＵＶ保護ナノ粒子の、セルフタンニング剤、特にジヒドロキシアセトンまたはジヒドロキシアセトン誘導体を安定化するための使用。
【請求項２７】
請求項１〜５のいずれか一項に記載のＵＶ保護ナノ粒子または請求項６〜１２のいずれか一項に従って調製したＵＶ保護ナノ粒子の、塗料、被覆システム、フィルム、パッケージ、繊維、織布、およびゴムまたはタイヤもしくは絶縁体などのシリコーンゴム成形品に導入するための使用。